Podtech/llm-jp-corpus-v4-ja_patent huggingface dataset:
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
未放送のビデオ・コンテンツについての推奨を生成する方法であって：
視聴者のユーザ・プロフィールを遠隔アクセスする工程；及び
該ビデオ・コンテンツについての推奨を生成するよう該ビデオ・コンテンツの特性を該ユーザ・プロフィールと比較する工程；
を備えることを特徴とする方法。
【請求項２】
請求項1記載の方法であって、更に：
該アクセスする工程及び比較する工程を複数の視聴者について繰り返す工程；
を備え；
該複数の視聴者毎に、相当する推奨が該ビデオ・コンテンツについて生成されて複数の推奨がもたらされることを特徴とする方法。
【請求項３】
請求項2記載の方法であって、更に：
該ビデオ・コンテンツについての視聴率を予測するよう統計解析を該複数の推奨に対して行う工程；
を備えることを特徴とする方法。
【請求項４】
請求項3記載の方法であって：
該複数の推奨の各々が推奨得点であり；
該行う工程が：
該複数の推奨得点の各々を閾値得点と比較する工程；
を備え；
該閾値得点を上回ることは、該ビデオ・コンテンツに対する反応が肯定的であると思われるということを示すことを特徴とする方法。
【請求項５】
請求項1記載の方法であって、更に：
該視聴者が該ユーザ・プロフィールに対するアクセスを可能/不能にすることを可能にする工程；
を備えることを特徴とする方法。
【請求項６】
請求項5記載の方法であって、更に：
該視聴者に、該ユーザ・プロフィールに対するアクセスを可能にするうえで、埋め合わせをする工程；
を備えることを特徴とする方法。
【請求項７】
請求項6記載の方法であって、該埋め合わせをする工程が：
該視聴者が、該ビデオ・コンテンツを該ビデオ・コンテンツの一般向けの放送の前に事前視聴することを可能にする工程；
を備えることを特徴とする方法。
【請求項８】
請求項6記載の方法であって、該埋め合わせをする工程が：
該視聴者に割引を、該ビデオ・コンテンツを該ビデオ・コンテンツが一般向けに放送される際に視聴するうえで提供する工程；
を備えることを特徴とする方法。
【請求項９】
未放送のビデオ・コンテンツについての推奨を生成するシステムであって：
パーソナル・ビデオ・レコーダ；
を備え；
該パーソナル・ビデオ・レコーダはユーザ・プロフィールを該パーソナル・ビデオ・レコーダの中に記憶させており；
該ユーザ・プロフィールは視聴者の視聴選好を該視聴者の視聴習慣に基づいて示し；
更に、該視聴者の該ユーザ・プロフィールを遠隔アクセスする遠隔ステーション；
該パーソナル・ビデオ・レコーダと該遠隔ステーションとのうちの一方において配置されて、該ビデオ・コンテンツの特性を該ユーザ・プロフィールと比較し、該ビデオ・コンテンツについての推奨を生成する推奨器；及び
該ユーザ・プロフィールと該推奨とのうちの少なくとも一方を該パーソナル・ビデオ・レコーダと該遠隔ステーションとの間で伝送する通信手段；
を備えることを特徴とするシステム。
【請求項１０】
請求項9記載のシステムであって：
該推奨器は該パーソナル・ビデオ・レコーダにおいて配置され；かつ
該通信手段は該推奨を該パーソナル・ビデオ・レコーダから該遠隔ステーションまで伝送することを特徴とするシステム。
【請求項１１】
請求項9記載のシステムであって：
該推奨器は該遠隔ステーションにおいて配置され；かつ
該通信手段は該ユーザ・プロフィールを該パーソナル・ビデオ・レコーダから該遠隔ステーションまで伝送することを特徴とするシステム。
【請求項１２】
請求項9記載のシステムであって、該通信手段は：
該パーソナル・ビデオ・レコーダと該遠隔ステーションとのうちの少なくとも一方において配置されるモデム；
を備えることを特徴とするシステム。
【請求項１３】
請求項9記載のシステムであって：
推奨の該生成が複数の視聴者について繰り返され；
該複数の視聴者毎に、相当する推奨が該ビデオ・コンテンツについて生成されて複数の推奨がもたらされ；
該遠隔ステーションは、更に：
該複数の推奨を生成し、複数の推奨に対する統計解析を行って該ビデオ・コンテンツについての視聴率を予測するプロセッサ；
を備えることを特徴とするシステム。
【請求項１４】
請求項9記載のシステムであって、更に：
該視聴者が、該ユーザ・プロフィールに対するアクセスを可能/不能にすることを可能にする手段；
を備えることを特徴とするシステム。
【請求項１５】
未放送のビデオ・コンテンツについての推奨を生成するパーソナル・ビデオ・レコーダであって：
メモリ；
を備え；
該メモリはユーザ・プロフィールを該メモリの中に記憶させており；
該ユーザ・プロフィールは視聴者の視聴選好を該視聴者の視聴習慣に基づいて示し；
更に、該ユーザ・プロフィールに対する要求を遠隔ステーションから受信し、該ユーザ・プロフィールと、該ユーザ・プロフィールに基づいた推奨とのうちの一方を該遠隔ステーションに伝送する通信手段；
を備えることを特徴とするパーソナル・ビデオ・レコーダ。
【請求項１６】
請求項15のパーソナル・ビデオ・レコーダであって、該通信手段が：
モデム；
を備えることを特徴とするパーソナル・ビデオ・レコーダ。
【請求項１７】
請求項15のパーソナル・ビデオ・レコーダであって、更に：
該視聴者が、該ユーザ・プロフィールに対する該遠隔ステーションによるアクセスを可能/不能にすることを可能にする手段；
を備えることを特徴とするパーソナル・ビデオ・レコーダ。
【請求項１８】
マシンによって判読可能なプログラム記憶装置であって：
未放送ビデオ・コンテンツについての推奨を生成する方法の工程を行うよう、該マシンによって実行可能な命令のプログラムを目に見える形で実施し；
該方法が：
視聴者のユーザ・プロフィールを遠隔アクセスする工程；及び
該ビデオ・コンテンツの特性を該ユーザ・プロフィールと比較して該ビデオ・コンテンツについての推奨を生成する工程；
を備えることを特徴とするプログラム記憶装置。
【請求項１９】
コンピュータ判読可能媒体において実施されて、未放送のビデオ・コンテンツについての推奨を生成するコンピュータ・プログラムであって：
視聴者のユーザ・プロフィールを遠隔アクセスするコンピュータ判読可能プログラム・コード手段；及び
該ビデオ・コンテンツの特性を該ユーザ・プロフィールと比較して、該ビデオ・コンテンツについての推奨を生成するコンピュータ判読可能プログラム・コード手段；
を備えることを特徴とするコンピュータ・プログラム。
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
第１のネットワークに接続する手段及び第２のネットワークに接続する手段を有するルータ又はブリッジ装置であって、
当該装置にアップロード可能な少なくとも１つのテンプレートファイルの変更可能なセットを格納する手段と、
ユーザにパラメータを提示するため前記セットから選択されるテンプレートを適用し、当該装置を設定するよう調整されるパラメータを選択するインストールアプリケーションと、
を有することを特徴とするルータ又はブリッジ装置。
【請求項２】
前記アプリケーションは、ユーザに対しテンプレート選択ディスプレイを生成する手段を含む請求項１記載の装置。
【請求項３】
前記アプリケーションは、前記第２のネットワークに接続されるホスト装置、前記第１のネットワークに接続されるサーバのうち少なくとも１つからテンプレートをロードする手段を含む請求項２記載の装置。
【請求項４】
前記アプリケーションは、遠隔ディスプレイ上にディスプレイのためのページを生成する手段が設けられるウェブサーバである請求項１乃至３のうちいずれか一項記載の装置。
【請求項５】
前記ディスプレイは、前記ページにアクセスし、また、前記設定パラメータの選択のためにユーザとインタラクトするためのブラウザを含むホスト装置の一部である請求項４記載の装置。
【請求項６】
前記アプリケーションは、少なくとも１つのテンプレートに基づいて少なくとも１つの設定ファイルを生成するよう適応される請求項１乃至５のうちいずれか一項記載の装置。
【請求項７】
工場デフォルト設定を含む請求項６記載の装置。
【請求項８】
インターネットサービスプロバイダによって予め決められる設定を含む請求項６及び７記載の装置。
【請求項９】
ユーザ設定、インターネットサービスプロバイダ設定、及び工場デフォルト設定のうち、前記ユーザ設定、前記インターネットサービスプロバイダ設定、及び前記工場デフォルト設定の順で優先順位が付けられ、
１つの設定において見つからない装置ソフトウェアにより要求されるパラメータは、優先順位のより低い設定において選ばれる請求項８記載の装置。
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
単結晶表面上に、低密度の貫通転位を有する緩和エピタキシャルＳｉ1-xＧｅx層を形成する方法であって、
基板の単結晶表面上に、ほぼ擬似格子整合したＳｉ1-xＧｅxのエピタキシャル層を堆積させるステップと、
前記基板に軽元素の原子を注入するステップと、
６５０℃を超える温度で前記基板をアニーリングするステップと、
を有する、方法。
【請求項２】
前記基板がバルクＳｉ基板またはシリコン・オン・インシュレータ基板である、請求項１に記載の方法。
【請求項３】
前記単結晶表面が、Ｓｉ、Ｓｉ1-xＧｅx、Ｇｅ、Ｓｉ1-yＣy、またはＳｉ1-x-yＧｅxＣyを含む、請求項１に記載の方法。
【請求項４】
前記ほぼ擬似格子整合したＳｉ1-xＧｅx層が、ｘが０．０１から１までの範囲であるＧｅ量を有する均一組成、または、ｘの値が前記上部結晶表面との界面における０から増大し、擬似格子整合層の上面においてｘの値がそれより大きく０．０１から１までの範囲であるＧｅ量を有する傾斜組成を有する、請求項１に記載の方法。
【請求項５】
０．１ｎｍから１ｎｍまでの範囲の表面粗さまで、前記ほぼ擬似格子整合したＳｉ1-xＧｅx層に化学機械的研磨（ＣＭＰ）を行うステップを更に有する、請求項１に記載の方法。
【請求項６】
前記注入イオンが、Ｈ、Ｈｅ、Ｄ、Ｂ、Ｎ、またはその混合物を含む、請求項１に記載の方法。
【請求項７】
前記注入イオンがＨｅイオンであって、約４ｘ１０15から約４ｘ１０16ｃｍ-2までの範囲のドーズ量で注入する、請求項１に記載の方法。
【請求項８】
前記イオン注入深さが、前記上部単結晶表面の下方９０から３００ｎｍの範囲である、請求項１に記載の方法。
【請求項９】
前記緩和エピタキシャルＳｉ1-xＧｅx層が１０6ｃｍ-2未満の貫通転位密度を有する、請求項１に記載の方法。
【請求項１０】
単結晶表面上に緩和エピタキシャルＳｉ1-xＧｅx層を準備する方法であって、
基板の単結晶表面上に、ほぼ擬似格子整合したＳｉ1-xＧｅxのエピタキシャル層を堆積させるステップと、
前記基板に第１のタイプの軽元素の原子をイオン注入するステップと、
前記基板に第２のタイプの軽元素の原子をイオン注入するステップと、
６５０℃を超える温度で前記基板をアニーリングするステップと、
を有する、方法。
【請求項１１】
前記第１のタイプおよび前記第２のタイプの注入イオンが、Ｈ、Ｈｅ、Ｄ、Ｂ、Ｎ、またはその混合物を含む、請求項１０に記載の方法。
【請求項１２】
前記第１のタイプの注入イオンがＨｅイオンを含み、前記第２のタイプの注入イオンが、Ｈ、Ｄ、またはＢを含む、請求項１０に記載の方法。
【請求項１３】
前記イオン注入ステップを同一の深さまたは２つの異なる深さで行う、請求項１０に記載の方法。
【請求項１４】
単結晶表面上に緩和エピタキシャルＳｉ1-xＧｅx層を準備する方法であって、
（ａ）上部単結晶表面を有する基板を設けるステップと、
（ｂ）前記単結晶表面上に、ほぼ擬似格子整合した第１のエピタキシャル層Ｓｉ1-xＧｅxを堆積させるステップと、
（ｃ）前記基板に軽元素の原子をイオン注入するステップと、
（ｄ）６５０℃を超える温度で前記基板をアニーリングするステップと、
（ｅ）ステップ（ｂ）〜（ｄ）を少なくとも２度行い、ここで、前記第１のエピタキシャル層の上にあるエピタキシャル層は完全な擬似格子整合でない場合があり、後続のステップにおけるｘは先行するステップにおけるｘよりも大きい、ステップと、
を有する、方法。
【請求項１５】
前記イオン注入の深さは、最後のエピタキシャル層と前の層との間の界面の下方９０から３００ｎｍの範囲である、請求項１４に記載の方法。
【請求項１６】
単結晶表面上に緩和エピタキシャルＳｉ1-xＧｅx層を準備する方法であって、
（ａ）上部単結晶表面を有する基板を設けるステップと、
（ｂ）前記単結晶表面上に、ほぼ擬似格子整合した第１のエピタキシャル層Ｓｉ1-xＧｅxを堆積させるステップと、
（ｃ）前記基板に軽元素の原子をイオン注入するステップと、
（ｄ）６５０℃を超える温度で前記基板をアニーリングするステップと、
（ｅ）前記単結晶表面上に第２のエピタキシャルＳｉ1-yＧｅy層を堆積させるステップであって、ｙ＞ｘである、ステップと、
（ｆ）６５０℃を超える温度で前記基板をアニーリングするステップと、
を有し、ステップ（ｅ）および（ｆ）を少なくとも１度以上繰り返す、方法。
【請求項１７】
前記第１および第２のエピタキシャルＳｉ1-xＧｅx層は、ｘが０．０１から１までの範囲であるＧｅ量を有する均一組成を有する、請求項１６に記載の方法。
【請求項１８】
単結晶表面上に、低密度の貫通転位を有する緩和エピタキシャルＳｉ1-xＧｅx層を準備する方法であって、
上部単結晶表面を有する基板を設けるステップと、
前記上部単結晶表面と同じ材料であり追加の炭素原子を含む第１のエピタキシャル層を堆積させるステップと、
前記上部単結晶表面と同じ材料であり追加の炭素原子を含まない第２のエピタキシャル層を堆積させるステップと、
前記単結晶表面上にほぼ擬似格子整合した第３のエピタキシャル層Ｓｉ1-xＧｅxを堆積させるステップと、
６５０℃を超える温度で前記基板をアニーリングするステップと、
を有する、方法。
【請求項１９】
前記第２のエピタキシャル層における前記炭素原子が１ｘ１０19から２ｘ１０21ｃｍ-3の範囲の濃度である、請求項１８に記載の方法。
【請求項２０】
前記第１の炭素を含むエピタキシャル層の厚さが２０ｎｍおよび１１０ｎｍの間であり、０．１ｎｍから１ｎｍまでの範囲の表面粗さを有する、請求項１８に記載の方法。
【請求項２１】
単結晶表面上に緩和Ｓｉ1-xＧｅx層を準備する方法であって、
（ａ）上部単結晶表面を有する基板を設けるステップと、
（ｂ）前記単結晶表面上に第１のほぼ擬似格子整合したＳｉ1-xＧｅxのエピタキシャル層を堆積させるステップと、
（ｃ）前記基板に軽元素の原子をイオン注入するステップと、
（ｄ）６５０℃を超える温度で前記基板をアニーリングするステップと、
（ｅ）前記単結晶表面上に第２のＳｉ1-yＧｅy層を堆積させるステップであって、ｙ＝ｘまたはｙ＜ｘである、ステップと、
を有する、方法。
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
電話を接続するように適合された通信ネットワークで使用されるメディア・ターミナル・アダプタであって、
プロビジョニングの状態の場合に、通常モードでサービスプロバイダのプロビジョニングサーバに接続する通信ユニットと、
非動作状態を検出するプロビジョニング障害検出器と、
前記電話を通じて、前記電話がオフフックになったときに検出済の非プロビジョニングの状態を示す診断メッセージを生成及び再生するプロビジョニングエラーメッセージ生成器／再生機と
を有するメディア・ターミナル・アダプタ。
【請求項２】
電話を接続するメディア・ターミナル・アダプタにより診断メッセージを生成及び再生する方法であって、
前記メディア・ターミナル・アダプタの非プロビジョニングの状態を検出するステップと、
前記電話を通じて、前記電話がオフフックになったときに検出済の非プロビジョニングの状態を示す診断メッセージを生成及び再生するステップと
を有する方法。
【請求項３】
請求項２に記載の方法であって、
前記生成及び再生するステップは、
音声デコーダにより、デジタルオーディオデータをアナログのサンプルに変換するステップと、
一般電話サービス（ＰＯＴＳ）端点回路により、前記アナログのサンプルを再構成するステップと、
前記電話がオフフックのときに、前記ＰＯＴＳ端点回路により、前記電話を通じて前記再構成されたアナログのサンプルを再生するステップと
を有する方法。
【請求項４】
請求項３に記載の方法であって、
前記生成及び再生するステップは、
リアルタイムプロトコルのパケットストリームでオーディオをカプセル化し、通信ネットワークからデータの受信をエミュレートすることにより、オーディオメッセージを生成し、前記パケットストリームは、ほぼ同期性のパケットの順序付けられたシーケンスを有するステップと、
前記パケットストリームを逆パケット化するステップと、
前記逆パケット化されたパケットストリームを前記音声デコーダに送出するステップと
を有する方法。
【請求項５】
請求項２に記載の方法であって、
前記診断メッセージは、動的に生成された音声テキストと結合された固定音声テキストを有する方法。
【請求項６】
請求項２に記載の方法であって、
検出済の非プロビジョニングの状態に対する解決を決定するステップを更に有し、前記診断メッセージは前記解決の機能である方法。
【請求項７】
請求項６に記載の方法であって、
前記診断メッセージで特定された前記電話により、電子診断及び状態情報にアクセスするステップを更に有する方法。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
アンテナアレイ（26）を走査するシステム（10）において、
予め定められた周波数で発振する光信号を発生する第１の機構（14、18、20、24）と、
予め定められた位相関係を有するフィード信号を得るために光信号を使用する第２の機構（32、34、50、52、54、56）と、
フィード信号を受信し、それに応答して対応する送信信号をアンテナアレイ（26）に放射する第３の機構（22）とを含んでいることを特徴とするシステム。
【請求項２】
第１の機構（14、18、20、24）は周波数同調可能な光発振器（18、20）を含んでおり、光信号は無線周波数信号で変調された光搬送波である請求項１記載のシステム（10）。
【請求項３】
光発振器（18、20）は遅延線（62、76）を通って検出器（64、78）へ通過する光フィードバック信号を含んでおり、検出器（64、78）は光フィードバック信号を無線周波数フィードバック信号へ変換し、それは光発振器（18、20）の光変調器（60、74）にフィードバックされる請求項２記載のシステム（10）。
【手続補正書】
【提出日】平成18年8月28日(2006.8.28)
【手続補正１】
【補正対象書類名】特許請求の範囲
【補正対象項目名】請求項１４
【補正方法】変更
【補正の内容】
【請求項１４】
請求項６に記載の化合物であって、本明細書に記載の実施例のいずれかひとつに記載の化合物。
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
Ｃ９＋芳香族炭化水素から成るフィードを、
（i）１２．４±０．２５、６．９±０．１５、３．５７±０．０７および３．４２±０．０７に面間隔の極大値を有するＸ線回折パターンをもったＺＳＭ−１２および多孔質結晶性無機酸化物材料のうちから選択された第１の分子ふるい、および、
（ii）３ないし１２の拘束指数（ｃｏｎｓｔｒａｉｎｔ  ｉｎｄｅｘ）を有する第２の分子ふるいから成る触媒組成物とアルキル交換反応条件下にて接触させる工程を有し、
少なくとも第１の分子ふるいはそれに付随した水素化成分を有し、第１および第２の分子ふるいは同一の触媒床に含まれており、Ｃ９＋芳香族炭化水素を前記アルキル交換反応条件下にてキシレンを含む反応生成物に転化する、Ｃ９＋芳香族炭化水素をより軽質の芳香族生成物に転化する処理方法。
【請求項２】
第１の分子ふるいがＺＭＳ−１２である請求項１の処理方法。
【請求項３】
ＺＳＭ−１２が、Ｘが三価の元素であり、Ｙが四価の元素であり、ｎが６０より小さいようなＸ２Ｏ３：（ｎ）ＹＯ２という分子量関係の組成を有している、請求項２の処理方法。
【請求項４】
ｎが２０以上で６０未満である、請求項３の処理方法。
【請求項５】
ＸがアルミニウムでありＹがシリコンである、請求項３または４の処理方法。
【請求項６】
ＺＭＳ−１２が０．１ミクロン未満の平均結晶サイズを有する、請求項２ないし５の処理方法。
【請求項７】
ＺＭＳ−１２が、温度１００℃でメシチレン圧力が２Ｔｏｒｒのときにメシチレンに対して、少なくとも１０００ｘ１０−６ｓｅｃ−１の拡散パラメータＤ／ｒ２を有する、請求項２ないし６の処理方法。
【請求項８】
ＺＭＳ−１２が、少なくとも１５０のアルファ値（Ａｌｐｈａ ｖａｌｕｅ）を有する、請求項２ないし７の処理方法。
【請求項９】
第２の分子ふるいがＺＭＳ−５である、請求項１ないし８の処理方法。
【請求項１０】
第１および第２の分子ふるいの合計重量に対して、第２の分子ふるいが５ないし９５重量％を構成する、請求項１ないし９の処理方法。
【請求項１１】
水素化成分が、タングステン、バナジウム、モリブデン、レニウム、クロム、マンガン、元素の周期表のVIII族の金属、およびその混合物のうちから選択されている、請求項１ないし１０の処理方法。
【請求項１２】
前記接触させる工程において、水素化成分が硫化物である、請求項１ないし１１の処理方法。
【手続補正書】
【提出日】平成18年11月2日(2006.11.2)
【手続補正１】
【補正対象書類名】明細書
【補正対象項目名】００１２
【補正方法】変更
【補正の内容】
【００１２】
本発明の化合物はまた、第２の薬学的に活性な物質と組み合わせて；特にシクロオキシゲナーゼ阻害剤と組み合わせて；さらに特定的には誘導型シクロオキシゲナーゼ(ＣＯＸ−２)のアイソフォームの選択的阻害剤と組み合わせて、有利に用いられ得る。従って、本発明のさらなる態様において、炎症、炎症性疾患、および炎症関連疾患を処置するためのＣＯＸ−２阻害剤と組み合わせた、式(Ｉ)の化合物またはその薬学的に許容される塩の使用が提供される。さらにまた、炎症、炎症性疾患、および炎症関連疾患もしくは状態を有しもしくはそのリスクを有するヒトにおいて、炎症、炎症性疾患、および炎症関連疾患を処置しもしくはそのリスクを軽減する方法であって、該方法が、ＣＯＸ−２阻害剤と組み合わせた、式(Ｉ)の化合物またはその薬学的に許容される塩を、治療上効果的な量で、該ヒトに投与することを含む方法が提供される。
【手続補正２】
【補正対象書類名】明細書
【補正対象項目名】００２５
【補正方法】変更
【補正の内容】
【００２５】
中間体化合物は、そのまままたは保護された形態で用いられ得る。保護基およびその除去方法の詳細は、標準的なテキストである“Protective Groups in Organic Synthesis”, 3rd Edition (1999) by Greene and Wuts を参照して見出され得る。
【手続補正３】
【補正対象書類名】明細書
【補正対象項目名】００２８
【補正方法】変更
【補正の内容】
【００２８】
本化合物およびその薬学的に許容される塩は、一酸化窒素合成酵素の合成もしくは過剰合成が寄与する部分のある疾患もしくは状態の処置または予防に使用するために適応される。特に、本化合物は、ヒトを含む哺乳動物において、炎症状態の処置に使用するために適応される。
【手続補正４】
【補正対象書類名】明細書
【補正対象項目名】００４８
【補正方法】変更
【補正の内容】
【００４８】
実施例３
(２Ｓ,４Ｒ)−２−アミノ−４−[[２−クロロ−５−(トリフルオロメチル)フェニル]チオ]−５−チアゾールブタノール塩酸塩
ａ) (４Ｓ)−４−[(２Ｒ)−２−[[２−クロロ−５−(トリフルオロメチル)フェニル]チオ]−２−(５−チアゾリル)エチル]−２,２−ジメチル−３−オキサゾリジンカルボン酸, １,１−ジメチルエチル エステル
実施例１の段階(ｃ)の生成物(１９０mg)を、４−クロロ−３−フルオロベンゾトリフルオリド(８３mg)と炭酸セシウム(１６３mg)で、実施例１の段階(ｄ)の手順に従って処理し、副題化合物を粘稠な油状物として得た(１０５mg)。
MS APCI +ve m/z 523 ([M+H]+).
【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2006506415.tif 000001
式中、Ｒは、ノニル；３，３，３−トリフルオロ−プロピル；２−メチル−４−フェニル−ブチル；４−トリフルオロメチル−フェニル；ペンタフルオロフェニル；４−フルオロ−フェニル；ナフタレン−２−イル；ビフェニル−２−イル；５，５，７，８，８−ペンタメチル−５，６，７，８−テトラヒドロ−ナフタレン−２−イル；５，５，８，８−テトラメチル−５，６，７，８−テトラヒドロ−ナフタレン−２−イル；１，１，３，３−テトラメチル−インダン−５−イル；スチリル；２，６−ジメチル−ヘプチル；２−（４−ｔｅｒｔ−ブチル−フェニル）−１−メチル−ビニル；２−（４−イソプロピル−フェニル）−１−メチル−ビニル；１−（１，７，７−トリメチル−ビシクロ［２．２．１］ヘプト−２−イル）−エチル；２−（４−イソブチル−フェニル）−１−メチル−ビニル；２−（２−イソプロピル−フェニル）−１−メチル−エテニル；２−フェニル−エチル；シクロヘキシル−メチル；２，２−ジメチル−プロピル；２−（ペンタフルオロフェニル）−エチル；３−フェニル−プロピル；ヘプチル；４−イソプロピル−シクロヘクス−１−エニル；デシル；ヘキシル；トランス−４−イソプロピル−シクロヘキシル；５−エチル−２−メチル−ヘプチル；２，６，１０−トリメチル−ウンデシル；１−メチル−３−（２，２，３−トリメチル−シクロペンチル）−プロピル；およびオクチルからなる群から選択された置換アルキル、ベンジルまたはアリル残基である、
で表される化合物。
【請求項２】
請求項１に記載の式（Ｉ）の化合物を体臭抑制量で含む組成物。
【請求項３】
腋窩悪臭を抑制する方法であって、処置を必要としているヒトの皮膚へ適用するための組成物を提供する段階を含み、前記組成物が、阻害剤化合物およびこの皮膚科学的に許容し得るビヒクルを含み、前記化合物が、請求項１に記載の１種または２種以上の式（Ｉ）の化合物から選択されている、前記方法。
【手続補正２】
【補正対象書類名】明細書
【補正対象項目名】０００６
【補正方法】変更
【補正の内容】
【０００６】
従って、本発明は、第１の観点において、式（Ｉ）
【化１】
2006506415.tif 000002
式中、Ｒは、
ａ）ノニル；
ｂ）３，３，３−トリフルオロ−プロピル；
ｃ）２−メチル−４−フェニル−ブチル；
ｄ）４−トリフルオロメチル−フェニル；
ｅ）ペンタフルオロフェニル；
ｆ）４−フルオロ−フェニル；
ｇ）ナフタレン−２−イル；
ｈ）ビフェニル−２−イル；
【手続補正３】
【補正対象書類名】明細書
【補正対象項目名】００３４
【補正方法】変更
【補正の内容】
【００３４】
５ｔ  ４−カルバモイル−２−［ヒドロキシ−（３−フェニル−プロピル）−ホスフィノイルメチル］−酪酸
５ｕ  ４−カルバモイル−２−［（２−シクロヘキシル−エチル）−ヒドロキシ−ホスフィノイルメチル］−酪酸
５ｖ  ４−カルバモイル−２−［（３，３−ジメチル−ブチル）−ヒドロキシ−ホスフィノイルメチル］−酪酸
５ｗ  ４−カルバモイル−２−［ヒドロキシ−（２−ペンタフルオロフェニル−プロピル）−ホスフィノイルメチル］−酪酸
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
急性もしくは慢性喘息を治療または予防するための、同時に、別々にもしくは連続して使用する薬剤を製造するためのＦＫ５０６誘導体およびβ２アゴニストの使用。
【請求項２】
急性もしくは慢性の喘息を治療または予防するための併用剤としてＦＫ５０６誘導体およびβ２アゴニストを含む組成物。
【請求項３】
ＦＫ５０６誘導体がタクロリムスまたはその水和物である請求項１の使用。
【請求項４】
β２アゴニストがサルメテロールまたはフォルモテロールである請求項１の使用。
【請求項５】
β２アゴニストと同時に、別々にまたは連続して急性もしくは慢性喘息を治療または予防する薬剤を製造するためのＦＫ５０６誘導体の使用。
【請求項６】
急性もしくは慢性喘息を治療または予防するための、β２アゴニストと同時に、別々にまたは連続して用いるためのＦＫ５０６誘導体を含む組成物。
【請求項７】
ＦＫ５０６誘導体と同時に、別々にまたは連続して急性もしくは慢性喘息を治療または予防する薬剤を製造するためのβ２アゴニストの使用。
【請求項８】
急性もしくは慢性喘息を治療または予防するための、ＦＫ５０６誘導体と同時に、別々にまたは連続して用いるためのβ２アゴニストを含む組成物。
【請求項９】
β２アゴニストが長時間作用型β２アゴニストである、請求項１、３、５または７いずれかの使用。
【請求項１０】
β２アゴニストが長時間作用型β２アゴニストである、請求項２、６または８いずれかの組成物。
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
１〜２の間の分散度Ｍw／Ｍnを有する、分子量分布の狭いヒドロキシ−ビニル芳香族オリゴマー、コオリゴマー、ポリマー又はコポリマーの製造方法であって、
少なくとも１種の、式（Ｉ）：
【化１】
2006506480.tif 000001
［式中、
Ｒ1は、Ｈ又はＣＨ3であり；
Ｒ2及びＲ3は、独立に、水素、Ｃ1−Ｃ8アルキル、Ｃ1−Ｃ8アルコキシ、Ｃ1−Ｃ8アルコキシカルボニル、Ｃ1−Ｃ8アルキルチオ、Ｃ1−Ｃ8ジアルキルアミノ、トリハロメチルであり；
Ｒ4は、Ｃ1−Ｃ12アルキル又はベンジル（非置換であるか、あるいは１個又は２個のＣ1−Ｃ8アルキル、Ｃ1−Ｃ8アルコキシ、Ｃ1−Ｃ8アルコキシカルボニル、Ｃ1−Ｃ8アルキルチオ、Ｃ1−Ｃ8ジアルキルアミノ、トリハロメチル、ハロゲンで置換されている）であるか；あるいはＲ4は、基：フェニル（メチル）ＣＨ−、（フェニル）2ＣＨ−、Ｃ1−Ｃ12アルキル−Ｏ−Ｃ（Ｏ）−、フェニル−ＣＨ2−Ｏ−Ｃ（Ｏ）−又は（フェニル）2ＣＨ−Ｏ−Ｃ（Ｏ）−である］
で示されるモノマーの組成物を、
ａ１）  下記式：
【化２】
2006506480.tif 000002
［式中、Ｘは、少なくとも１個の炭素原子を有する基を表し、かつＸから誘導されるラジカルＸ・が、エチレン性不飽和モノマーの重合を開始させることのできるものである］で示される構造要素を有する、少なくとも１種のニトロキシルエーテルの存在下で；あるいは
ａ２）  下記式：
【化３】
2006506480.tif 000003
で示される、少なくとも１種の安定なニトロキシルラジカルとラジカル開始剤との存在下で；あるいは
ａ３）  式（III）：
【化４】
2006506480.tif 000004
［式中、
ｐは、ゼロを超える数を表し、かつ開始剤フラグメントの数を規定し；
ｑは、ゼロを超える数を表し；
［Ｉｎ］は、重合を開始させることができるラジカル転移性原子又は基を表し；そして
−［Ｈａｌ］は、脱離基を表す］
で示される化合物、及び触媒有効量の酸化可能な遷移金属錯体触媒の存在下で；あるいは
ａ４）  金属又は有機金属触媒の存在下で、アニオン重合反応によって反応させ；そして
場合により、同時か又はこれに続く工程において、式（Ｉ）のものとは異なる１種以上のエチレン性不飽和モノマーと反応させる工程；並びに
ｂ）  生じたポリマーを単離し、そしてこれをハロシランとの反応に付すことにより、式（II）：
【化５】
2006506480.tif 000005
で示される反復単位を有し、かつ式（Ｉ）の保護されたヒドロキシ−ビニル芳香族モノマーのモル量に基づいて１０〜１００mol％の間の一定のＯＨ基を有する、ポリマーを得る工程
を特徴とする方法。
【請求項２】
請求項１記載の方法により入手できるポリマーから調製される、配合フォトレジスト。
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
栄養素または口腔衛生のために使用され、あるいは快適性を求めて消費される調製物における、芳香性成分、芳香性成分としての、2E,4E-デカジエン酸イソブチルアミド(トランス-ペリトリン)の使用。
【請求項２】
前記トランス-ペリトリンを、最終調製物に対して、0.01〜500ppmなる範囲の量で使用する、請求項1記載の使用。
【請求項３】
トランス-ペリトリンを含むことを特徴とする、栄養素または口腔衛生のために使用され、あるいは快適性を求めて消費される調製物、並びに香気、芳香および香味物質の組成物。
【請求項４】
前記トランス-ペリトリンを、最終調製物に対して、0.01〜500ppmなる範囲の量で含有する、請求項3記載の調製物。
【請求項５】
少なくとも1種の、追加の唾液分泌誘発性の、ヒリヒリ、ピリピリ、または香辛性の風味を持つ物質を含む、請求項3または4記載の調製物。
【請求項６】
少なくとも1種の唾液分泌誘発性の、ヒリヒリ、ピリピリ、または香辛性の風味を持つ植物抽出物を含む、請求項3〜5のいずれか1項に記載の調製物。
【請求項７】
前記トランス-ペリトリンを、0.001〜5質量％なる範囲の量で含有する、請求項3記載の組成物。
【請求項８】
前記トランス-ペリトリンが、合成されたものである、請求項3〜7のいずれか1項に記載の調製物。
【請求項９】
2E,4E-デカジエン酸-N-イソブチルアミドの製法であって、
a) 2E,4E-または2E,4Z-デカジエン酸エステルまたはこれらエステルの混合物を、触媒の存在下で、イソブチルアミンと反応させる工程、および
b) 上記工程a)において製造した生成物を異性化して、2E,4E-デカジエン酸-N-イソブチルアミドを得る工程を含むか、あるいは
i) 2E,4Z-デカジエン酸エステル、または2E,4E-および2E,4Z-デカジエン酸エステル混合物を、異性化して、2E,4E-デカジエン酸エステルを得、かつ
ii) 上記工程i)において製造した生成物を、触媒の存在下で、イソブチルアミンと反応させる工程、
を含むことを特徴とする、上記製法。
【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
ブロックトポリウレタンプレポリマーの製造方法であって、
a)一以上のジイソシアネート又はポリイソシアネートを
b)不飽和末端基含有量が0.02ミリグラム当量／ポリオール１ｇ以下（測定法はASTM D2849-69に準じる）、多分散性(PD=Mw/Mn)が1.01〜1.5、及び／又はOH官能価が1.9以上である一以上のポリエーテルポリオール
と反応させて、NCO-官能性ポリウレタンプレポリマーを生成させ、次いで、該NCO基を
c)フェノール性OH基及び／又は任意に置換されたフェノールを有する少なくとも一種の炭化水素樹脂
でブロックすることによる方法。
【請求項２】
請求項１に記載の方法によって得られうるブロックトポリウレタンプレポリマー。
【請求項３】
A)請求項２に記載のポリウレタンプレポリマー、
B)少なくとも二つの第一級アミノ基を有する少なくとも一種の有機アミン、
C)任意に、一分子当たり平均一個より多いオキシラン基を含むオキシラン基含有化合物、並びに、
D)任意に、触媒及び／又は添加剤
を含む反応系。
【請求項４】
添加剤、封止用組成物、注型用組成物、複合材料（繊維複合材料）、成形品及び塗料の製造のための、請求項２に記載のブロックトポリウレタンプレポリマーの使用。
【手続補正２】
【補正対象書類名】明細書
【補正対象項目名】００７１
【補正方法】変更
【補正の内容】
【００７１】
実施例９
Laromin（登録商標） C260を用いた反応系の製造:
Perenol（登録商標） E 8の0.05 g及び2,3-ジメチル-3,4,5,6-テトラヒドロピリミジン0.05 gを、実施例１〜８に従って製造されるブロックトポリウレタンプレポリマーの各々10 gと、撹拌しながら混合する。その後、いずれの場合にもLaromin（登録商標） C 260の0.4 g、0.6 g及び0.8 gを撹拌しながら添加し、次いで、反応混合物を常温で3日間置いておく。全ての場合に、透明で均一な、完全に硬化した弾性プラスチック材料が得られる。
本発明の好ましい態様は以下を包含する。
〔１〕  ブロックトポリウレタンプレポリマーの製造方法であって、
a)一以上のジイソシアネート又はポリイソシアネートを
b)不飽和末端基含有量が0.02ミリグラム当量／ポリオール１ｇ以下（測定法はASTM D2849-69に準じる）、多分散性(PD=Mw/Mn)が1.01〜1.5、及び／又はOH官能価が1.9以上である一以上のポリエーテルポリオール
と反応させて、NCO-官能性ポリウレタンプレポリマーを生成させ、次いで、該NCO基を
c)フェノール性OH基及び／又は任意に置換されたフェノールを有する少なくとも一種の炭化水素樹脂
でブロックすることによる方法。
〔２〕  上記〔１〕に記載の方法によって得られうるブロックトポリウレタンプレポリマー。
〔３〕  成分a)は芳香族ポリイソシアネート又は芳香族ポリイソシアネート混合物であることを特徴とする上記〔２〕に記載のブロックトポリウレタンプレポリマー。
〔４〕
成分b)は多分散性が1.1〜1.5、OH官能価が1.9より大きいポリエーテルポリオールであることを特徴とする上記〔２〕又は〔３〕に記載のブロックトポリウレタンプレポリマー。
〔５〕  成分b)はOH官能価が1.95以上であることを特徴とする上記〔４〕に記載のブロックトポリウレタンプレポリマー。
〔６〕  成分c)はフェノール性OH基を有しヒドロキシル基含有量が0.1重量％〜10重量％の炭化水素樹脂であることを特徴とする上記〔２〕〜〔５〕のいずれかに記載のブロックトポリウレタンプレポリマー。
〔７〕  成分c)はヒドロキシル基含有量が2重量％〜8重量％の室温で液状の炭化水素樹脂であることを特徴とする上記〔６〕に記載のブロックトポリウレタンプレポリマー。
〔８〕  A)上記〔２〕に記載のポリウレタンプレポリマー、
B)少なくとも二つの第一級アミノ基を有する少なくとも一種の有機アミン、
C)任意に、一分子当たり平均一個より多いオキシラン基を含むオキシラン基含有化合物、並びに、
D)任意に、触媒及び／又は添加剤
を含む反応系。
〔９〕  添加剤、封止用組成物、注型用組成物、複合材料（繊維複合材料）、成形品及び塗料の製造のための、上記〔２〕に記載のブロックトポリウレタンプレポリマーの使用。
〔１０〕  鉄泉水建設、造船における、及びパイプライン用の防錆塗料の製造のための、上記〔２〕に記載のブロックトポリウレタンプレポリマーの使用。
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
少なくとも1種の活性物質を口腔へ送達するための経口で消費できるフィルムであって、口腔内で迅速に溶解可能であり、かつ固有粘度が約2.5dl/g以下のペクチンと、少なくとも1種の活性物質とを含有する組成物から製造されているフィルム。
【請求項２】
固有粘度が約1.8dl/g以下である、請求項1記載のフィルム。
【請求項３】
ペクチンが高メチルエステルペクチンである、請求項1記載のフィルム。
【請求項４】
ペクチンが低メチルエステルペクチンである、請求項1記載のフィルム。
【請求項５】
ペクチンが、フィルム乾量を基に約20〜約80質量％の濃度で存在する、請求項1記載のフィルム。
【請求項６】
活性物質が香味剤である、請求項1記載のフィルム。
【請求項７】
活性物質が薬剤である、請求項1記載のフィルム。
【請求項８】
口腔内で迅速に溶解可能である、少なくとも1種の活性物質を口腔へ送達するための経口で消費できるフィルムを製造するための組成物であって、固有粘度が約2.5dl/g以下のペクチンと、少なくとも1種の活性物質とを含有する組成物。
【請求項９】
固有粘度が約1.8dl/g以下である、請求項8記載の組成物。
【請求項１０】
ペクチンが高メチルエステルペクチンである、請求項8記載の組成物。
【請求項１１】
ペクチンが低メチルエステルペクチンである、請求項8記載の組成物。
【請求項１２】
活性物質が香味剤である、請求項8記載の組成物。
【請求項１３】
活性物質が薬剤である、請求項8記載の組成物。
【請求項１４】
口臭消臭物質を口腔に送達するための方法であって、口腔内で迅速に溶解可能であり、固有粘度が約1.8dl/g以下のペクチンと少なくとも1種の活性物質とを含有する、経口で消費できるフィルム組成物を調製する工程、およびフィルムを口腔内に配置する工程を含む、方法。
【請求項１５】
固有粘度が約1.8dl/g以下である、請求項14記載の方法。
【請求項１６】
迅速に溶解するペクチンフィルムの製造方法であって、固有粘度が約4.9dl/g以上の第一のペクチン溶液を分解し、固有粘度が約2.5dl/g以下の第二のペクチン溶液を得る工程、および第二のペクチン溶液からフィルムを形成する工程を含む、方法。
【請求項１７】
固有粘度が約1.8dl/g以下である、請求項16記載の方法。
【請求項１８】
活性成分を第一または第二のペクチン溶液に添加する工程を更に含む、請求項16記載の方法。
【請求項１９】
第一のペクチン溶液が、ホモジナイゼーションにより分解される、請求項16記載の方法。
【請求項２０】
ホモジナイゼーションが、圧力約5,000psiである、請求項16記載の方法。
【請求項２１】
第一のペクチン溶液が、酸化剤により分解される、請求項16記載の方法。
【請求項２２】
酸化剤が5％過酸化水素である、請求項21記載の方法。
【請求項２３】
第一のペクチン溶液が、解重合酵素により分解される、請求項16記載の方法。
【請求項２４】
酵素がペクチナーゼである、請求項23記載の方法。
【請求項２５】
第一のペクチン溶液が、pHの上昇により分解される、請求項16記載の方法。
【請求項２６】
pHが、水酸化ナトリウムにより上昇する、請求項25記載の方法。
【請求項２７】
pHが、約6〜約8に上昇する、請求項25記載の方法。
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
投与された個体における免疫応答を増大することにより疾患または状態を処置するのに十分な量のHMGB Bボックスまたはその機能的変異体を含有するポリペプチドを含有してなる医薬組成物。
【請求項２】
前記HMGB Bボックスが哺乳動物のものである請求項１記載の医薬組成物。
【請求項３】
前記HMGB Bボックスがヒトのものである請求項２記載の医薬組成物。
【請求項４】
前記ポリペプチドがHMGB1 Bボックスポリペプチドを含有してなるか、またはHMGB1 Bボックスポリペプチドからなる、請求項３記載の医薬組成物。
【請求項５】
ワクチンをさらに含有してなる請求項１記載の医薬組成物。
【請求項６】
アジュバントをさらに含有してなる請求項５記載の医薬組成物。
【請求項７】
前記アジュバントが、１つ以上の免疫刺激性オリゴヌクレオチド、イミダゾキノリン、モノホスホリル脂質Ａ、および無毒化リポ多糖からなる群より選ばれる請求項６記載の医薬組成物。
【請求項８】
前記免疫刺激性オリゴヌクレオチドが非メチル化CpG配列を含有してなる請求項７記載の医薬組成物。
【請求項９】
HMGM Bボックスまたはその機能的変異体を含有するポリペプチドに結合した抗体。
【請求項１０】
前記HMGB Bボックスが哺乳動物のものである請求項９記載の抗体。
【請求項１１】
前記HMGB Bボックスがヒトのものである請求項１０記載の抗体。
【請求項１２】
前記ポリペプチドがHMGB1 Bボックスポリペプチドを含有してなるか、またはHMGB1 Bボックスポリペプチドからなる、請求項１１記載の抗体。
【請求項１３】
前記抗体が腫瘍関連ポリペプチドに結合する請求項９記載の抗体。
【請求項１４】
前記抗体が薬学的に許容されうる担体中に存在する請求項９記載の抗体。
【請求項１５】
免疫刺激を必要とする個体における免疫応答を刺激または増大させる方法に使用するための医薬の製造におけるHMGB Bボックスまたはその機能的変異体を含有するポリペプチドの使用であって、前記方法が前記免疫応答を刺激または増大させるのに十分な量の該ポリペプチドを前記個体に投与することを含む、使用。
【請求項１６】
前記個体が癌について処置される請求項１５記載の使用。
【請求項１７】
前記HMGB Bボックスが哺乳動物のものである請求項１５記載の使用。
【請求項１８】
前記HMGB Bボックスがヒトのものである請求項１７記載の使用。
【請求項１９】
前記ポリペプチドがHMGB1 Bボックスを含有してなるか、またはHMGB1 Bボックスからなる、請求項１８記載の使用。
【請求項２０】
前記ポリペプチドがワクチン、またはさらなるアジュバントと同時投与される請求項１５記載の使用。
【請求項２１】
前記アジュバントが１つ以上の免疫刺激性オリゴヌクレオチド、イミダゾキノリン、モノホスホリル脂質A、および無毒化リポ多糖からなる群より選ばれる請求項２０記載の使用。
【請求項２２】
前記免疫刺激性オリゴヌクレオチドが非メチル化CpG配列を含有してなる請求項２１記載の使用。
【請求項２３】
前記投与が全身性である請求項１５記載の使用。
【請求項２４】
前記投与が標的部位に局在化される請求項１５記載の使用。
【請求項２５】
前記ポリペプチドが、免疫刺激を必要とする個体において標的部位に特異的である抗体に結合する請求項１５記載の使用。
【請求項２６】
前記ポリペプチドが薬学的に許容されうる担体中に存在する請求項１５記載の使用。
【請求項２７】
個体における癌の処置方法に使用するための医薬の製造におけるHMGB Bボックスまたはその機能的変異体を含有するポリペプチドの使用であって、前記方法が治療有効量の該ポリペプチドを前記個体に投与することを含む、使用。
【請求項２８】
前記HMGB Bボックスが哺乳動物のものである請求項２７記載の使用。
【請求項２９】
前記HMGB Bボックスがヒトのものである請求項２８記載の使用。
【請求項３０】
前記ポリペプチドがHMGB1 Bボックスポリペプチドを含有するか、またはHMGB1 Bボックスポリペプチドからなる、請求項２９記載の使用。
【請求項３１】
前記ポリペプチドがワクチン、またはさらなるアジュバントと同時投与される請求項２７記載の使用。
【請求項３２】
前記アジュバントが、１つ以上の免疫刺激性オリゴヌクレオチド、イミダゾキノリン、モノホスホリル脂質Ａ、および無毒化リポ多糖からなる群より選ばれる請求項３１記載の使用。
【請求項３３】
前記免疫刺激性オリゴヌクレオチドが非メチル化CpG配列を含有する請求項３２記載の使用。
【請求項３４】
前記投与が全身性である請求項２７記載の使用。
【請求項３５】
前記投与が標的部位に局在化される請求項２７記載の使用。
【請求項３６】
前記標的部位が腫瘍である請求項３５記載の使用。
【請求項３７】
前記ポリペプチドが抗体に結合する請求項２７記載の使用。
【請求項３８】
前記抗体が腫瘍関連ポリペプチドに結合する請求項３７記載の使用。
【請求項３９】
前記ポリペプチドが薬学的に許容されうる担体中に存在する請求項２７記載の使用。
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
口腔内における低い溶解度および比較的長時間にわたる迅速かつ持続的な活性化合物の放出により識別される、平板型の経粘膜的医薬投与形態物であって、
ａ）脂肪酸残基が少なくともその９０％が飽和されているホスファチジルコリン分画中の、または
ｂ）ａ）で特定されたホスファチジルコリン分画とマレイン酸およびアルキルビニルエーテルからなるコポリマーの混合物中の、
活性化合物の固溶体から、そして適当なら、さらに、医薬的に耐容性のあるアジュバントおよび添加物から構成されることを特徴とする、上記投与形態物。
【請求項２】
ａ）は少なくとも８０重量％のホスファチジルコリン分画を含むことを特徴とする請求項１記載の投与形態物。
【請求項３】
添加物としてポリビニルピロリドンを含むことを特徴とする請求項１または２に記載の投与形態物。
【請求項４】
活性化合物は、耽溺性誘発薬物の濫用およびこれらの薬物依存の処置に適当であることを特徴とする請求項１〜３のいずれかに記載の投与形態物。
【請求項５】
活性化合物は、縮合インドール誘導体および／またはその酸付加塩であることを特徴とする請求項１〜４のいずれかに記載の投与形態物。
【請求項６】
活性化合物は、７−アザビシクロ (2.2.1) ヘプタン、７−アザビシクロ（2.2.1) ヘプテンおよび／またはこの化合物の誘導体であることを特徴とする請求項１〜４のいずれかに記載の投与形態物。
【請求項７】
活性化合物は、エビバチジンおよび／またはこの化合物の誘導体であることを特徴とする請求項１〜４のいずれかに記載の投与形態物。
【請求項８】
活性化合物はベンジリデン−アナバシエンおよびシナミリデン−アナバシエン、または
この化合物の誘導体であることを特徴とする請求項１〜４のいずれかに記載の投与形態物。
【請求項９】
活性化合物は、メカミルアミン、ハイパーリシン、CP−52655およびブプロプリオンおよび／またはそれらの誘導体の化合物群より選択されることを特徴とする請求項１〜４のいずれかに記載の投与形態物。
【請求項１０】
活性化合物は、オキサゾリジノン誘導体およびベフロキサトンの群より選択されることを特徴とする請求項１〜４のいずれかに記載の投与形態物。
【請求項１１】
活性化合物は、カンナビノイド受容体（CB1）アンタゴニストSR 141716であることを特徴とする請求項１〜４のいずれかに記載の投与形態物。